(57)【特許請求の範囲】
【請求項１】
光電変換により画像を読み取る読み取りユニットと、
前記読み取りユニットを収容するケースと、
前記ケースとスナップフィット及びねじによって結合され、前記ケースの開口部を覆う
カバーと、
前記カバーに設けられるつめと、
前記ケースに設けられ、挿入された前記つめを係止する開口と、
前記開口が設けられる前記ケースの内壁に設けられ、前記開口から光路上に侵入する塵埃を捕集する隔壁と、
を備える画像読み取り装置。
【請求項２】
前記隔壁は、前記開口の下方に形成されている底部と、前記底部から立ち上がり前記開
口が設けられる前記ケースの内壁に接続されている壁部とを有する請求項１に記載の画像読み取り装置。
【発明の詳細な説明】
【技術分野】
【０００１】
本発明は画像読み取り装置に関し、特に画像を読み取る読み取りユニットを収容するケースとケースの開口部を覆うカバーとの結合構造に関する。
【背景技術】
【０００２】
従来、画像読み取り装置のケースとカバーとの結合構造として、スナップフィットによる結合が知られている（特許文献１）。スナップフィットによる結合は、ケース又はカバーのいずれか一方に設けられるつめを、ケース又はカバーの他方に設けられる開口に係止する。スナップフィットによる結合では、ねじによる結合に比べ、つめと開口で構成される結合部のサイズを小さくすることができるため、結合部に厚みがないデザインにも対応することができ、また、製品全体の小型化を可能にする。さらに、ねじを用いないため、部品点数を減らすことができる。
ところが、スナップフィットを構成するつめと開口との間に生成される隙間のため、ケースとカバーの結合に遊びが生じる。そのため、カバーを構成するプラテン上に載置された原稿を読み取るとき、プラテン上の原稿の画像が高精度に読み取れないという問題があった。
【０００３】
【特許文献１】特開平７−１２１２６４号公報
【発明の開示】
【発明が解決しようとする課題】
【０００４】
本発明は、上述の問題を解決するために創作されたものであって、少ない部品点数で遊び無くケースとカバーを結合することができ、小型化が可能な結合構造の画像読み取り装置を提供する。
【課題を解決するための手段】
【０００５】
（１）上記目的を達成するための画像読み取り装置は、光電変換により画像を読み取る読み取りユニットと、前記読み取りユニットを収容するケースと、前記ケースとスナップフィット及びねじによって結合され、前記ケースの開口部を覆うカバーと、を備える。
本発明によると、読み取りユニットを収容するケースとカバーを結合する手段として、スナップフィットとねじの両方をそれぞれ適当な部位で採用することにより、少ない部品点数でカバーとケースとを遊び無く結合することができ、また、画像読み取り装置の小型化が可能となる。
【０００６】
（２）前記ケース又は前記カバーの一方に設けられるつめと、前記ケース又は前記カバーの他方に設けられ、挿入された前記つめを係止する開口と、前記開口が設けられる前記ケース又は前記カバーの内壁に設けられ、前記開口から侵入する塵埃を捕集する隔壁と、を備える。
本発明によると、ケース内に侵入する塵埃を補集する隔壁をカバーの内壁に備えるので、塵埃が読み取り部の光路上に侵入して読み取り画像にノイズが生ずるのを防ぐことができる。
【０００７】
（３）前記隔壁は、前記開口の下方に形成されている底部と、前記底部から立ち上がり前記開口が設けられる前記ケース又は前記カバーの内壁に接続されている壁部とを有してもよい。
本発明によると、開口から侵入した塵埃が開口の下方に形成されている底部に蓄積されても、蓄積された塵埃が底部から読み取りユニットの光路上に移動することを底部から立ち上がる壁部によって防ぐことができる。
【発明を実施するための最良の形態】
【０００８】
以下、実施例に基づいて本発明の実施の形態を説明する。
はじめに、本発明の画像読み取り装置の一実施例としてのイメージスキャナ１について説明する。
図２は、イメージスキャナ１の外観を示す斜視図である。イメージスキャナ１は、所謂フラットベット型のイメージスキャナである。イメージスキャナ１はプラテン１０に載置される印刷文書や写真等を読み取ることができる。本実施例では、画像読み取り機能と印刷機能を備えた複合機の構成要素として説明する。尚、画像読み取り装置は、イメージスキャナ単体でもよい。
【０００９】
図１は、イメージスキャナ１のケース１４及びカバー１６を分解した状態を示す斜視図、図３は、イメージスキャナ１の内部構造を示す模式図である。イメージスキャナ１の筐体は、上方に開口部が形成され箱型に形成されているケース１４と、ケース１４の開口部を覆うカバー１６によって構成されている。尚、本実施例において、「上方」とは、鉛直方向上側をいう。カバー１６は、ガラス板等の透明板で形成される矩形のプラテン１０と、プラテン１０の周りを囲むプラテンフレーム１８によって構成され、プラテン１０はプラテンフレーム１８に固定されている。
【００１０】
ケース１４には、キャリッジ２０、キャリッジ２０を牽引する図示しないベルト、ベルトを回転させる図示しないモータなどが収容されている。
キャリッジ２０は、照明部２６と屈折率分散型レンズアレイ２８とリニアイメージセンサ３０とを搭載している。リニアイメージセンサ３０は図示しないプリント基板に実装される密着型イメージセンサで、直線状に一列に配列された複数の受光素子、ＭＯＳトランジスタスイッチ等で構成される。照明部２６は、原稿１２の走査線近傍を照明する。屈折率分散型レンズアレイ２８は、照明された原稿１２の主走査線上の反射光像をリニアイメージセンサ３０の受光面に結像させる。リニアイメージセンサ３０は、結像される光学像を走査し、その光学像の濃淡に相関する電気信号を出力する。リニアイメージセンサ３０から出力された電気信号は、図示しないアナログフロントエンド部、ディジタル画像処理部においてディジタル画像データに変換される。尚、イメージセンサは密着型でも、レンズ縮小型でもよい。
キャリッジ２０を案内するガイド２４は、ケース１４の底部と一体に形成されている。キャリッジ２０は、ガイド２４に摺動自在に支持され、ベルトに係止されている。モータによりプーリが駆動されると、キャリッジ２０はガイド２４に沿って副走査方向に摺動する。
【００１１】
次に、ケース１４とカバー１６のガイド２４の近傍におけるねじによる結合について説明する。ケース１４のガイド２４の両端近傍にはボス３８が形成されている。ケース１４とカバー１６の結合は、ケース１４のボス３８のねじ穴４０から、カバー１６の雌ねじ４２にねじ４６をねじ込む。図４は、ボス３８近傍の断面図である。ボス３８は、ケース１４から上方に突出し、ねじ穴４０を備える。また、カバー１６のプラテンフレーム１８には、ボス３８に対応する位置に下方に突出し雌ねじ４２を備えるボス４４が形成されている。ケース１４とカバー１６の結合は、ボス３８のねじ穴４０からプラテンフレーム１８の雌ねじ４２にねじ４６をねじ込んで、ケース１４とカバー１６を結合する。尚、本実施例において、「下方」とは鉛直方向下側をいう。このように、ガイド２４の両端近傍をねじで締めてケース１４に対してカバー１６を固定することにより、ガイド２４近傍の公差を小さくすることができる。したがって、ガイド２４上を摺接するキャリッジ２０に搭載されているリニアイメージセンサ３０によって高精度に画像を読み取ることができる。
【００１２】
また、イメージスキャナ１の筐体は、図示しない複合機の印刷部の筐体の上方にヒンジによって搖動自在に結合されている。図５に示すように、ヒンジ４８近傍では、ケース１４、カバー１６、及びヒンジ４８は、ねじにより結合される。具体的には、ケース１４に形成されるねじ穴５０とヒンジ４８に形成されるねじ穴５２の中心を合わせ、ねじ５４を貫通させ、プラテンフレーム１８に形成される雌ねじ５６にねじ込む。このように、可動部となるヒンジ４８の近傍においてケース１４とカバー１６をねじで結合することにより、イメージスキャナ１が印刷部の筐体に対して搖動するときに発生するがたつきを防ぐことができる。
【００１３】
次に、スナップフィットによるカバー１６とケース１４の結合について説明する。
図６（Ａ）は、図１のＩ−Ｉ線の断面図である。
本実施例におけるスナップフィットは、開口５８につめ６２を係止する。開口５８は、箱形に形成されたケース１４の上端近傍に形成されるケース１４の側壁６０を貫通する孔である。つめ６２は、プラテンフレーム１８から下方に延びる支持部６４と、支持部６４から外側に向かって突出する突部６６を備える。つめ６２の突部６６は、カバー１６がケース１４を覆ったとき、開口５８に収まり、つめ６２が開口５８に係止される位置に形成される。このようにスナップフィットによる結合では、結合構造に必要なスペースは、鉛直方向にはつめ６２の支持部６４の長さ分（図例においてはｈ）、水平方向には支持部６４の厚み分（図例においてはｄ）であるので、ねじを用いる場合に比べて小さく、デザイン上、あるいは、成型工程上、結合部に厚みを持たせることができない場合に有用である。例えば、副走査方向の端部でケース１４とカバー１６とをスナップフィットにより結合することにより、キャリッジ２０が移動する空間の容積とイメージスキャナ１の体積との差を小さくし、製品全体を小型化することができる。また、ねじを用いないことにより、部品点数を減らすこともできる。
【００１４】
以上のように、イメージスキャナ１のケース１４とカバー１６の結合において、ガイド２４の近傍やヒンジ４８の近傍のように結合の剛性を必要とする箇所にはねじを用い、ケース１４やカバー１６の端部のように結合の剛性があまり求められない箇所にはスナップフィットを用いることにより、多様なデザインに対応しつつ、高い読み取り精度を達成することができる。
【００１５】
次に、スナップフィットの開口５８から侵入する塵埃を捕集する隔壁について説明する。
図７は、図６（Ａ）のＩＶ−ＩＶ線の断面図である。隔壁６８は、開口５８の底部７０と、開口５８の底部７０から立ち上がる壁部７２とで構成されている。壁部７２は、開口５８に係止されたつめ６２をケース１４の内側から囲むように形成され、ケース１４の側壁６０の内壁に接続されている。底部７０と壁部７２は隙間なく接続している。このように、隔壁６８によって開口５８が囲まれているため、開口５８から侵入した塵埃は隔壁６８によりケース１４内部への侵入は阻まれ、かつ、底部７０に蓄積した塵埃も壁部７２によりケース１４内部に侵入することが無い。
【００１６】
図６（Ｂ）は、図１のＶ−Ｖ線の断面図である。ケース１４の側壁６０の上端に水平な底部７４と底部から立ち上がる壁部７６によって構成される溝７８を形成し、プラテンフレーム１８の端部には溝７８に対応する突部８０を形成する。このように、ケース１４の側壁６０の上端に壁部７６と底部７４を備えることにより、ケース１４の側壁６０の上端においても、ケース１４とカバー１６の端部の接点からの塵埃の侵入を壁部７６により防ぐことができる。
したがって、本発明によれば、光路上に塵埃が侵入して読み取り画像にノイズが生ずるのを防ぐことができる。
【図面の簡単な説明】
【００１７】
【図１】本発明の一実施例に係る斜視図。
【図２】本発明の一実施例に係る斜視図。
【図３】本発明の一実施例に係る模式図。
【図４】本発明の一実施例に係る断面図。
【図５】本発明の一実施例に係る断面図。
【図６】本発明の一実施例に係る断面図。
【図７】本発明の一実施例に係る断面図。
【符号の説明】
【００１８】
１：イメージスキャナ（画像読み取り装置）、１０：プラテン（カバー）、１４：ケース、１６：カバー、１８：プラテンフレーム（カバー）、２６：照明部（読み取りユニット）、２８：屈折率分散型レンズアレイ（読み取りユニット）、３０：リニアイメージセンサ（読み取りユニット）、４２：雌ねじ、４６：ねじ、５８：開口（スナップフィット）、６２：つめ、６８：隔壁、７０：底部、７２：壁部
【図１】
0004525503.tif 000002
【図２】
0004525503.tif 000003
【図３】
0004525503.tif 000004
【図４】
0004525503.tif 000005
【図５】
0004525503.tif 000006
【図６】
0004525503.tif 000007
【図７】
0004525503.tif 000008